Podtech/llm-jp-corpus-v4-ja_patent huggingface dataset:
(57)【要約】      （修正有）【課題】エチケット上も防犯上も外から丸見えでないほうが好ましいパンティー・ブラジャーなどの小物被乾燥物を、気兼ねなく安心して干すために、同一のハンガーに掛ける他の被乾燥物を遮蔽物として利用して、外から何が干してあるか見え難いようにすると同時に、被乾燥物を共に十分に乾燥出来るようなハンガーを提供する。【解決手段】被乾燥物をハンガーの懸架部３に掛けたときに、被乾燥物を広げ・膨らませて掛けられるとともに、被乾燥物の内側に空間を構成できるように、複数の懸架部３を持った折畳み可能なパラソル状のハンガーとする。また被乾燥物を掛けることにより作られる内部空間に、外部から見え難いように小物被乾燥物を掛けることができる洗濯バサミ６を複数の懸架部３に取り付ける。【選択図】図１
2006075573.tif 000002
【特許請求の範囲】
【請求項１】
（イ）複数の懸架部３を持った折畳み可能なパラソル状のハンガーとする
（ロ）それぞれの懸架部３に洗濯バサミ６を取り付ける
このように構成したハンガーの複数の懸架部３全体に、被乾燥物を掛けることにより作られる内部空間に、洗濯バサミ６により小物被乾燥物を掛け、外側の被乾燥物を遮蔽物として利用し、内側にある小物被乾燥物が見え難いようにして乾燥できるハンガー。
【発明の詳細な説明】
【発明の詳細な説明】
【発明の属する技術】
【０００１】  ハンガーに掛ける被乾燥物の内側に十分な空間を作り、其の空間に小物被乾燥物を掛けられるようにして、外側の被乾燥物を遮蔽物として利用し内側になにが干してあるか外から見え難いようにすると共に、外側・内側の被乾燥物を共に乾燥できるようにするハンガーに関するものである。
【背景技術】
【０００２】  従来のハンガーは、なにがハンガーに掛けられているかは一目見れば分かる。被乾燥物が外から見えないようにしたハンガーは、見えないようにする遮蔽構造物を別途備えたものとしている。
【発明が解決しようとする課題】
【０００３】  干してあるものが外から見えないようにする遮蔽構造物を設けるのでなく、被乾燥物自体を遮蔽物として利用し、内側に何が干してあるか見え難いようにする。外側・内側の被乾燥物を共に十分に乾燥できる空間を構成するが、不使用時にコンパクトに収納保管できるような折畳み可能なハンガーを提供する。
【課題を解決する為の手段】
【０００４】  （１）Ｕネック、Ｖネック或いは丸首シャツなどの、遮蔽物となる被乾燥物８を広げ膨らませて掛けられる、図１のようなパラソル状のハンガーとする。
（２）パラソル状のハンガー懸架部に掛けた被乾燥物８の内側の空間に、小物被乾燥物を掛けられるように、懸架部３に洗濯バサミ６を取付ける。
このように構成されたハンガーの洗濯バサミ６に小物被乾燥物９、１０を掛る。パラソル状のハンガー懸架部に図８のように遮蔽物となる被乾燥物８を掛ける。小物被乾燥物９、１０は外側に掛けた被乾燥物８に遮蔽されて外からは見え難い。またパラソル状のハンガーとすることで十分な内部空間が作られ外側・内側の被乾燥物共に乾燥し易い。パラソル状の広がった構造のものを、不使用時にコンパクトに収納保管するために、図３、図６、図７のような折畳み可能な構造とする。
【発明を実施するための最良の形態】
【０００５】  外側に掛ける被乾燥物８を十分に広げ膨らませられるように、ハンガーは図１のように折畳み可能なパラソル状の構造とする。したがって被乾燥物８の内側に十分な空間が構成され、内側に掛ける小物被乾燥物９、１０も十分に乾燥できる。外側に掛ける被乾燥物８を遮蔽物として利用するので、内側に掛ける小物被乾燥物９、１０は、外からは何が干してあるか見え難い。不使用時に保管収納が容易なように折畳み可能なものとし、ここでは図３、図６、図７で示したような構造のものとしたが、図９、図１０のような傘と同じ開閉構造のものとすることも出来る。
【発明の効果】
【０００６】  このハンガーはパラソル状の構造になっているため、外側に掛ける被乾燥物８を十分に広げ膨らますことが出来るので、内側に十分な空間を構成出来る。したがって、外側の被乾燥物と同時に内側に掛ける小物被乾燥物９、１０は十分に乾燥できる。  外側に掛ける被乾燥物８が遮蔽物として機能するため、内側に掛ける小物被乾燥物９、１０は、外からは何が干してあるか見え難い。
ベランダなど人の目に付く物干し場に、このハンガーでパンティー・ブラジャーやパンツなどを他のものと同じように乾燥させていても、外から見え難いため気遣いをせず干せるし、又エチケット上・防犯上も好ましい効果を期待できる。またそのような小物を干さないときには、普通の小物乾燥用ハンガーとしても利用できる。パラソル状の広がった形状となっているが、折畳み可能な構造としてあるので不使用時に嵩張らず収納保管しやすい。
【図面の簡単な説明】
【図１】  エチケットハンガーの全体側面図
【図２】  エチケットハンガーを上から見た図
【図３】  エチケットハンガーを折畳んだ状態の図
【図４】  エチケットハンガーの懸架部３の図
【図５】  エチケットハンガーの懸架部３の断面図
【図６】  懸架部ターミナル２への懸架部３取付け部の断面図
【図７】  懸架部ターミナル２への懸架部３取付け部の斜視図
【図８】  エチケットハンガーに被乾燥物を掛けた状態の図
【図９】  傘と同じ開閉構造を利用したエチケットハンガーの図
【図１０】  傘と同じ開閉構造を利用したエチケットハンガーを閉じたときの図
【符号の説明】
１  エチケットハンガーの吊り下げフック
２  懸架部ターミナル
３  懸架部
４  小物用洗濯バサミ吊り下げフック
５  収納吊り下げフック
６  小物用洗濯バサミ
７  懸架部取り付けバー
８  懸架部３に掛ける被乾燥物
９  小物被乾燥物
１０  小物被乾燥物
【図１】
2006075573.tif 000003
【図２】
2006075573.tif 000004
【図３】
2006075573.tif 000005
【図４】
2006075573.tif 000006
【図５】
2006075573.tif 000007
【図６】
2006075573.tif 000008
【図７】
2006075573.tif 000009
【図８】
2006075573.tif 000010
【図９】
2006075573.tif 000011
【図１０】
2006075573.tif 000012
(57)【要約】【課題】入れ子状になった調理用のボウルを縦方向に保持し、任意のボウルを片手で容易に出し入れできるボウル保持器具の形状を提供する。【解決手段】入れ子状に重なったボウルを、ボウルの底の部分と２箇所の縁の部分のあわせて３点で、ボウルを縦方向に保持するような保持器具を提供する。【選択図】図２
2006075572.tif 000002
【特許請求の範囲】
【請求項１】
入れ子構造のボウルを保持する器具に於いて、ボウルの底部に溜まる水が抜けやすい様に、ボウルを縦方向に保持できる保持器具の構造
【請求項２】
保持した入れ子構造のボウルのうち、任意のボウルを簡単に取り出したり、戻したり出来る保持器具の構造
【発明の詳細な説明】
【技術分野】
【０００１】台所で使用するボウルを保持する器具の構造に関する
【背景技術】
【０００２】省スペースを目的に、サイズが異なって入れ子式（重ね合わせ式）になっているボウルを保管するときには、図１の如くボウルを大きさの順に重ね合わせて、水平においておくのが普通だった。
【発明の開示】
【発明が解決しようとする課題】
【０００３】ボウルを水平に置いた場合は底部に水滴が溜まり、不衛生になりがちだった。また、重ね合わせたボウルのうち任意の物を取り出そうとした場合、上側に重なっているボウルを持ち上げ、その下のボウルを取り出すことになるため、片手では難しく、作業性が悪かった。
【課題を解決するための手段】
【０００４】ボウルを重ね合わせた状態で縦方向に保持し、ボウル同士は外力が加わると容易に離れるようなボウル保持器具を提供する。
【発明の効果】
【０００５】ボウルを縦方向に保持することで、水平に置いていた場合には底部に溜まっていた水が、速やかに排出されるため、乾燥しやすくなり、不衛生になる事が無くなる。また、縦方向に重ねて保管できるため、最も場所をとらない保管形態を実現できる。また、この保持器具を使用する事で、任意のボウルを片手で取り出したり、戻したり出来るようになり、作業性が大幅に向上する。
【発明を実施するための最良の形態】
【０００６】図１、２を用いてその形態を説明する。図１−１の様に入れ子状のボウルは図１−２の様に重ね合わせた状態で底面を下にして置かれる。これに対して図２の様に本発明の器具によってボウルが縦方向に保持された状態となる。この器具はボウルを底の部分と２箇所の縁の部分のあわせて３点で、ボウルに接触してボウルを保持している。このことにより、ボウル同士は接触してはいるが、外力が加わると容易に離れて隙間を作ることが出来る状態になっている。
【実施例】
【０００７】この器具を使用することにより、ボウルを水切れが良い縦方向に重ね合わせた状態で保持することが出来、図２−２の如く所望するサイズのボウルを片手で取り出したり戻したり用意に出来る様になる。
【産業上の利用可能性】
【０００８】ボウルの“使ったり”、“戻したり”が頻繁に行われる業務用の調理場や、スペース的に制約の有る家庭用の台所などにおいて、衛生的、省スペース、作業性向上と言った観点からこの器具の有効性が発揮される。
【図面の簡単な説明】
【０００９】
【図１】「調理用のボウルを重ね合わせたところ」図１−１は重ね合わせたボウルを上面から見た図  図１−２は重ね合わせたボウルを側面から見た図
【図２】「本発明の使用例」図２−１は本発明でボウルを保持したところ（正面図）  図２−２は本発明でボウルを保持したところ（側面図）  図２−３は任意のボウルを本発明に戻そうとしているところ
【符号の説明】
【００１０】１〜５は入れ子状に重ねあわされた５つのボウル
６は重ねあわされたボウルが載っている台
７は本発明のボウル保持器具を正面から見たところ
８は本発明のボウル保持器具を側面から見たところ
９は任意のボウルを取り出そうとしている手
１０は任意のボウル
【図１】
2006075572.tif 000003
【図２】
2006075572.tif 000004
(57)【要約】      （修正有）【課題】高い場所や人間の腕ではとどかない、窓ガラスの屋外部分の安全で効率のよい、清掃を可能にする清掃具の提供。【解決手段】プラスチック（又は金属）の２本のアーム部２の先端に取付けた清掃部１で窓ガラス５をはさみこみ、高い場所や人間の腕ではとどかない、窓ガラスの屋外部分の清掃を屋内よりできるようにする。同時に屋内部分の清掃もできる。【選択図】図１
2006075579.tif 000002
【特許請求の範囲】
【請求項１】
プラスチック（又は金属）アームによる、窓ガラスをはさみこむ構造の清掃具
【請求項２】
屋内より屋外の窓ガラスの清掃ができるところ
【請求項３】
清掃部でガラスを両面からはさみこむことにより同時に屋内・屋外のガラスの清掃ができるところ。
【請求項４】
プラスチックアームによる窓ガラスをはさみこむ構造によりガラス面に接する清掃部の圧力が一定であること。
【請求項５】
プラスチック（又は金属）アームを伸縮できる構造にすることにより、大小さまざまな窓ガラスの清掃に対応できること。
【発明の詳細な説明】
【技術分野】
【０００１】
【背景技術】
【０００２】さまざまな、素材、形状の掃除道具の存在
【発明の開示】
【０００３】窓の清掃をする場合、家屋２階などの高い場所の外部の清掃が体を外にのりださないとできない、危険であり、やりにくい。
【発明が解決しようとする課題】
【０００４】高い場所にある、窓ガラスの外部の安全で効率のよい、掃除の方法。
【課題を解決するための手段】
【０００５】２本のアームの先端部にスポンジなどの清掃部を取付、窓ガラスをバネなどにより内部・外部よりはさみこみ、建物内部より、その掃除道具により、内部・外部同時に清掃をする。
【発明の効果】
【０００６】清掃部で窓ガラスをはさみこむことにより建物内部より、建物外部と内部の同時に安全で効率のよい清掃ができる。
【発明を実施するための最良の形態】
【０００７】プラスチック、ビニール（又は金属）の整形による掃除道具の作成
【実施例】
【０００８】
【産業上の利用可能性】
【０００９】清掃業者の使用による、作業の安全・効率化
【図面の簡単な説明】
【００１０】はさみこみ型・窓ガラス清掃窓ふきモップの図面【図１】はさみこみ型・窓ガラス清掃窓ふきモップの平面図
【図２】はさみこみ型・窓ガラス清掃窓ふきモップの斜視図
【付号の説明】
【００１１】１スポンジ（清掃部）  ５窓ガラス（例）
２アーム部            ６可動部分
３スプリング
４清掃ヘッド
2006075579.tif 000003
【図１】
2006075579.tif 000004
【図２】
2006075579.tif 000005
(57)【要約】【課題】トイレの便器前の床は、尿の汚れで悪臭がしたり不潔になりやすいが、常時清潔にしておくには拭き掃除をしたりマットの洗濯をしたり芳香剤を置くなどして、手間がかかり不快な作業をしていた。【解決手段】トイレマットとふたカバーに、抗菌又は除菌、防臭または消臭、芳香効果のある紙を使用し、取替えが簡単で水洗トイレに流せるものとしたので、誰にでも簡単にトイレを清潔できれいな空間にすることができる。【選択図】図１
2006075575.tif 000002
【特許請求の範囲】
【請求項１】
吸水性がある水溶性の紙でできていて、水洗トイレに流せるよう小さく切るためのミシン目が入っていることを特徴とする流せるトイレマット。
【請求項２】
色々な形の洋式便器下部にも密着するよう、巻き付ける部分に切れ込みが有ることを特徴とする流せるトイレマット。
【請求項３】
裏面に滑り止めを付けたことを特徴とする流せるトイレマット。
【請求項４】
抗菌又は除菌、防臭又は消臭、芳香の効果を持った紙で作られていることを特徴とする流せるトイレマット。
【請求項５】
紙の特性を生かし色、柄、形を工夫してトイレをきれいで快適な空間にすることを特徴とする流せるトイレマット。
【請求項６】
形は、単純な丸みを帯びたほぼ四角形とした流せるトイレマット。
【請求項７】
水溶性の紙でできていて、水洗トイレに流せるよう小さく切るためのミシン目が入っていることを特徴とする流せる便器のふたカバー。
【請求項８】
便器のふたに簡単に付け外しができる、テープがふちについていることを特徴とする流せる便器のふたカバー。
【請求項９】
抗菌又は除菌、防臭又は消臭、芳香の効果を持った紙で作られていることを特徴とする流せる便器のふたカバー。
【請求項１０】
紙の特性を生かし、色、柄、形を工夫し、トイレをきれいで快適な空間にすることを特徴とする流せる便器のふたカバー。
【発明の詳細な説明】
【技術分野】
【０００１】この発明は、トイレに流すことができるトイレマットとトイレに流すことができる便器のふたカバーに関する。
【背景技術】
【０００２】従来の洋式トイレの便器前の床は、布製のマットを敷くか、もしくは何も敷かないでいた。
【発明の開示】
【発明が解決しようとする課題】
【０００３】便器前は、男性の小用時に尿のしずくなどで汚れやすく、布製のマットを使用した場合汚れるたびに洗濯を繰り返さなくてはいけなかった。またマットを使用しなかった場合、床に尿の汚れが付着しやすくたびたび拭き掃除をしなくてはならず、いづれも手間がかかり不快な作業であった。特に一人暮らしの老人男性などの場合、汚れても掃除が行き届かず不潔になりやすかった。そこでこの発明は、簡単に手間をかけず、清潔で快適なトイレを保持できることを課題とする。
【課題を解決するための手段】
【０００４】以上の課題を解決するために、第一発明は、吸水性、水溶性のある紙でできていて、小さく切ることができるミシン目の入ったこのトイレマットは、尿で汚れたときに洗濯の手間を省きすぐにトイレに流せるので、清潔かつ便利であることを特徴とする。
第二発明は、便器から尿が流れ落ち床に汚れが付着しないよう、便器の前下部にマットを巻き密着できるよう、また色々な便器の形に対応できるよう切れ込みを作ったことを特徴とする。
第三発明は、使用時にマットが動かないよう、滑り止めを付けたことを特徴とする。
第四発明は、とかく便器周りは悪臭がしやすく不潔になりやすいので、抗菌又は除菌、防臭又は消臭、芳香の効果を持った紙で作られていて清潔であることを特徴としたマットで、トイレに芳香剤を置く必要がないことも特徴である。
第五発明は、トイレは実用性のみを求められがちなので、快適で安らぎの空間となるよう紙の特性を生かし、多様な色、柄、形とすることが可能であることを特徴とする。
第六発明は、形が複雑であると、製造にコストがかかるので、単純な形の丸みを帯びたほぼ四角形としたことを特徴とする。
第七発明は、洋式便器のトイレマットとふたカバーは、セットで使われることが多く、マットとセットで使えるようにした。吸水性、水溶性のある紙でできていて小さく切れるミシン目の入ったこのふたカバーは、汚れたときに洗濯の手間を省きすぐにトイレに流せるので、清潔かつ便利であることを特徴とする。
第八発明は、誰にでもふたカバーを簡単に付け外しができるよう、便器のふたに貼り付けるためのテープが付いていることを特徴とする。
第九発明は、とかく便器周りは悪臭がしやすく不潔になりやすいので、抗菌又は除菌、防臭又は消臭、芳香の効果を持った紙で作られていることを特徴とする。また、芳香の効果があるので、芳香剤を置く必要がないことも特徴である。
第十発明は、トイレは実用性のみを求められがちなので、快適で安らぎの空間となるよう、紙の特性を生かし多様な色、柄、形とすることが可能であることを特徴とする。
【発明の効果】
【０００５】これらの発明により、トイレの床の汚れを防ぎ、マットやふたカバーが汚れても洗濯の手間を省くことができ、簡単に処理ができる。また、トイレを快適できれいな空間にすることができる。
【発明を実施するための最良の形態】
【０００６】この発明の一実施形態を図１に示す。
図１で示すように、洋式便器前床のマット１は裏にすべり止め図２の２が付いた切れ込みのある部分３を便器の前下部分４に密着するように巻く。また使用時にずれないよう、マットの手前部分５の裏面にもすべり止めが付いている。使用後に水洗トイレに流せるよう、ミシン目６で小さく切れるようにした。図２に示すように、製作を容易にするため形を単純にした。また、便器のふたカバー７は、付け外しを容易にするため図３で示すようにカバーの縁１０からテープ９を出し、ふたに貼り付けて固定する。図１、図３のふたカバーは紙レースをあしらった例である。
【図面の簡単な説明】
【０００７】
【図１】トイレマットとレースをあしらったふたカバーの実施形態を示す図である。
【図２】トイレマットの未使用時裏面の図である。
【図３】ふたカバーの縁にテープと紙レースをあしらった裏面の図である。
【図４】ふたカバーのテープとレースを付けた場合の拡大した断面図である。
【図１】
2006075575.tif 000003
【図２】
2006075575.tif 000004
【図３】
2006075575.tif 000005
【図４】
2006075575.tif 000006
(57)【要約】      （修正有）【課題】腰を下ろした時腰椎の圧迫を無くし、或いは腰椎を牽引出来る椅子を提供する。【解決手段】背もたれ１と肘掛け２及び脇の下サポートの総て又は一部と座板４との距離を調節できるようにする。座敷椅子の場合は、本人に合わせて予め背もたれ、脇の下支え、肘掛けの位置を、お尻の浮く程度にセットできるようにする。椅子の肘掛けに肘を置き、脇の下支え及び背もたれと背中の摩擦力で上半身の荷重を支えて、肘掛けを椅子の座板から上昇させ、或いは肘掛けに対して座板を下降させて、腰椎の圧迫を除き、或いは下半身の目方で腰椎を伸長させて、腰痛を軽減させる。【選択図】図４
2006075177.tif 000002
【特許請求の範囲】
【請求項１】
背もたれと肘掛け及び脇の下サポ−トの総て又は一部と座板との距離を伸縮出来る椅子。
【請求項２】
肘掛けの床面上の高さを、肘を肘掛けに乗せて座ったた人のお尻が、浮き上がる程度に調節できる座敷椅子。
【発明の詳細な説明】
【技術分野】
【０００１】本発明は上半身の荷重が腰椎を圧迫するのを防止し、腰椎を引き伸ばす椅子に属する。
【背景技術】
【０００２】休息の為に椅子に腰を掛けても、上半身の荷重は腰椎を圧し続けるから、腰痛患者の痛みは、軽減されない。また健康人であっても腰椎を圧迫から簡単に解放できれば、腰痛の予防になる。
【発明の開示】
【発明が解決しようとする課題】
【０００３】解決しようとする問題は、椅子に座った時、上半身の荷重が、腰椎を圧さないように、上半身を支持して上方向に持ち上げるか、又は上半身をずり下げないように保持しながら、椅子の座板を下方向に下げる事である。
【課題を解決するための手段】
【０００４】上半身を支持するには、松葉杖の様に、脇の下と腕及び背中と椅子の背板間の摩擦力を用いる。松葉杖は脇の下に挟み、手先で掴んで上体を支えるが実際に体重を支えているのは、腕の力で、椅子の場合〔図４〕の肘掛け〔３〕に肘を乗せて肩から支え、背中を背もたれ〔１〕に押し付け、又は脇の下に回したベルトをマジックテ−プ等で椅子の背もたれ〔１〕に回して胸部を固定し背面の摩擦力を増して上半身を支える。ベルトは必ずしも必要ではない。肘掛け〔３〕に対して脇下支え〔２〕は、高さを調整出来る様にする。
〔図４〕では肘掛け〔３〕に対して座板〔４〕を下降させる例を示し、〔図６〕では座板〔４〕に対して肘掛け〔３〕を上昇させる例を示す。〔図８〕は座敷椅子の例示で座板〔４〕に対して使用者が肘掛け〔３〕と脇下支え〔２〕の位置を予め簡単にセットしておいて、座ったとき軽くお尻が浮く程度に出来るものを示した。座板〔４〕は上下方向に平行移動でもよい。
【発明の効果】
【０００５】殆どの人は、老化と共に腰を痛めるが、身近にある椅子の機能を少し変える事で腰椎を守る事が出来る。
【発明を実施する為の最良の形態】
【０００６】〔図１〕と〔図２〕に本発明の基本的な考え方を示す。
背もたれ〔１〕に連接した肘掛け〔３〕に対し、体に合わせて取り付け位置を矢印〔Ａ〕に示す様に上下に調整できる脇下支え〔２〕を取り付け、肘掛け〔３〕に対し座板〔４〕との距離を矢印〔Ｂ〕に示す様に変えると、上半身は肘掛けに支えられて、下半身は浮き  腰椎は引き伸ばされる。胸を脇の下に回したベルトで背もたれ〔１〕に押し付けて摩擦力を大きくし、太腿を座板〔４〕にベルトで固定して、肘掛け〔３〕と座板〔４〕との距離を伸ばせば、腰椎は引き伸ばされる。ベルト無しで、背中を背もたれ〔１〕に押し付けてもよい。
【実施例】
【０００７】〔図３〕は本発明の椅子の実施例の正面図、〔図４〕はその側面図。フレ−ム〔８〕に肘かけ〔３〕と脇下支え〔２〕を調節可能に取り付け、フレ−ム〔８〕に取り付けた軸〔５〕で前部を支えた座板〔４〕を支持する上下運動機構のギヤ−ドモ−タ−と送りねじ機構によって座板〔４〕の後部を下げると、肘掛け〔３〕や背中の摩擦で支えられた上半身に対し、下半身の自重により、腰椎は引き伸ばされる。大腿部を座板〔４〕にマジックテ−プ等で固定すれば、自重以上の力で腰椎を引き伸ばす事も出来る。座板〔４〕の上下運動機構は各種の既成技術を適用出来る。座板〔４〕を固定しておいて、上半身を持ち上げる実施例を正面図〔図５〕、側面図〔図６〕に示す。座板〔４〕をフレ−ム〔８〕に固定し、肘掛け〔３〕と脇下支え〔２〕をギヤ−ドモ−タ−〔６〕と送りねじ機構〔７〕で上昇させる。上昇、下降操作機構は、ほかにも自由に選択できる。セットねじ〔９〕で脇下支え〔２〕の位置を調整する。
座敷椅子、一般に背もたれと称する椅子の実施例を正面図〔図７〕と側面図〔８〕に示す。最も簡単な構造として、座板〔４〕に対し脇下支え〔２〕と肘かけ〔３〕の位置を、予め座って肘と背で上半身を支えたとき、お尻が少し浮く位にセットしておく。セット方法は背もたれ〔１〕を含むフレ−ム〔８〕にマジックテ−プ等ではりつければよいし、または、簡単な上下移動機構を利用してもよい。
何れの場合も背もたれ〔１〕と背中との摩擦力を併用すれば、全体重を支持できるから、下半身の重さだけでなく、大腿部を座板に固定して、かなりの引っぱり力を〔図６〕に示す腰椎〔１０〕に加える事ができる。
肘掛け〔３〕脇下支え〔２〕の上昇、下降機構も電動シリンダ−、エア−利用等各種既成技術を選定出来る。
【産業上の利用可能性】
【０００８】椅子に腰椎を引き伸ばす機能を与えることで、在来何気なく使用していた椅子に腰椎の圧迫を除く機能を与えられるから、真の意味で体を休める事ができ、一般に普及させる事ができれば、人助けになろう。
【図面の簡単な説明】
【０００９】
【図１】  本発明の椅子の原理を示す正面図
【図２】  同  側面図
【図３】  実施例  正面図
【図４】  同  側面図
【図５】  別の実施例  正面図
【図６】  同  側面図
【図７】  座敷椅子の実施例  正面図
【図８】  同  側面図
【符号の説明】
【００１０】１    背もたれ
２    脇下支え
３    肘掛け
４    座板
５    軸
６    ギヤ−ドモ−タ−
７    送りねじ機構
８    フレ−ム
９    セットねじ
１０  腰椎
１１  マジックテ−プ
１２  マジックテ−プ
【図１】
2006075177.tif 000003
【図２】
2006075177.tif 000004
【図３】
2006075177.tif 000005
【図４】
2006075177.tif 000006
【図５】
2006075177.tif 000007
【図６】
2006075177.tif 000008
【図７】
2006075177.tif 000009
【図８】
2006075177.tif 000010
(57)【要約】      （修正有）【課題】囲いの無いゴミステーションに於いて、出されたゴミ袋が犬、猫、猿、等の小動物やカラスなどによって食い荒らされるのを防ぐ防鳥ネットを、掛ける、外す、保管する、作業を容易に行える、防鳥ネット保管具を提供する。【解決手段】円筒状シャフトに、防鳥ネットを巻いておき、その都度必要の長さだけ引き出して生ゴミＫ２、Ｋ４にかぶせる。生ゴミ回収車の担当者は円筒状シャフトの端についているハンドルを回すことで、防鳥ネットが巻き取られ、生ゴミ袋が現れる。防鳥ネットの先端Ｂ１には、永久磁石Ｂ２がついており、円筒状シャフトに巻き取られた防鳥ネットの先端Ｂ１が、円筒状シャフトの下部の鉄板製の横板のところまで来ると、永久磁石Ｂ２がカチッと横板に吸い付いて、防鳥ネットが固定保管される。【選択図】図４
2006075148.tif 000002
【特許請求の範囲】
【請求項１】
防鳥ネットの保管具
図１を基に以下に述べる
漁網状の長方形の市販品である防鳥ネットＢを、任意に回転出来、任意の長さの円筒状シャフトＡに防鳥ネットＢの一端を粘着両面テープ、又は風雨に耐えられる紐等で固定する。円筒状シャフトＡの両側に任意の高さの柱Ｃ、柱Ｃ１を設ける。柱Ｃ、柱Ｃ１の間にそれぞれの柱を固定する横板Ｄを差し込み、その片端Ｅ及び反対側Ｅ１はボルト又は溶接で固定する。材質は鉄である。円筒状シャフトＡ及び柱Ｃ柱Ｃ１が倒れないように、その柱の下に任意の大きさの基礎板Ｆを左右均等に取り付ける。取り付け方法はボルト又は溶接等任意である。この円筒状シャフトＡの一端に任意で円筒状シャフトＡと、このシャフトに巻かれた防鳥ネットＢの端部Ｂ１に、長方形の永久磁石Ｂ２を任意の数、数個を取り付け、回転させることが出来るハンドルＨを設けた防鳥ネット保管具。
【発明の詳細な説明】
【発明の詳細な説明】
【発明の属する技術的分野】
【０００１】    この発明は道路上、又は空き地に指定されたゴミステーションで囲いが無い場所に当局から指定された日に地域住民から出された可燃物、主として生ゴミ袋の上に被せる防鳥ネットの被せ方、取り除き方法と防鳥ネットの保管具である。
【背景技術】
【０００２】    従来の防鳥ネットを図２を例にしてその使い方について以下に示す。
山積された生ゴミ袋Ｋの上に、折り込んであった防鳥ネットＢを又、石等で押さえてあった、変形した防鳥ネットＢを伸ばしながらゴミ袋Ｋに被せるが思うところにゆかず、つい生ゴミ袋に手をついて主婦が手を汚す事が多々ある。
又、他家の生ゴミ袋を触るのは誰しも嫌いであるが袋を移動したり、後からきた主婦は、つい自分の生ゴミ袋に防鳥ネットＢを引っ張って被せてしまい、反対側の生ゴミ袋Ｋ１が丸だしになる事がある。
回収集の担当者は、生ゴミを積み込む前に、目一杯広がっている防鳥ネットＢを外すのに２人掛りで行う必要がある。
次に外した防鳥ネットＢを丸めたり、畳みこんだりするが、ビニール製、ナイロン製では思うように処理出来ず石で押さえて置くこともある。
又、風等で防鳥ネットＢが飛散して紛失する事もある。自治会によっては、この防鳥ネットＢを自宅に持ち帰り保管するところもある。
【発明が解決しようとする課題】
【０００３】    しかし上記に述べたような従来の方法では、手を汚す、手間がかかる、又これには次のような欠点があった。
（１）防鳥ネットＢの保管が上手く出来ず風による飛散紛失による経済的損失がある。又、見栄えの悪さ、環境の面からも不安全、不衛生等がある。
【課題を解決するための手段】
【０００４】    本発明に係わる防鳥ネットＢ付きの保管具０Ａについて以下に述べる空き地、集合住宅などのゴミステーションの端部に防鳥ネットＢを組み込んだ本発明の保管具０Ａを常に置いて置く。
防鳥ネットＢは、円筒状シャフトＡに巻き込まれている。立体的で倒れにくい基礎板Ｆに重心がある構造である。
【発明を実施するための最良の形態】
【０００５】    以下本発明の実施の形態について図３について説明する。
防鳥ネットＢを巻き込んである、円筒状シャフトＡ側に生ゴミ搬出者は生ゴミ袋Ｋ３を奥の方へ置く。その次ぎに防鳥ネットＢの端部Ｂ１を手で引っ張ると、円筒状シャフトＡが回転し、防鳥ネット端部Ｂ１が伸びてくる。自分の生ゴミ袋に被せる分だけ伸ばす。このようにして次々に防鳥ネットＢを被せてゆくと、全体に均等に、防鳥ネットＢを被せることができる。防鳥ネットＢの一端が固定されているので、引っ張り過ぎは無くなる。
次ぎに図４について説明する。
生ゴミ回収集車の担当者は、保管具０ＡのハンドルＨに行きハンドルを右へ回すことにより、ビニール製、又はナイロン製の防鳥ネットＢが、ビニール製の生ゴミ袋Ｋ２Ｋ４、の上をゆっくりと、ハンドルＨの速さと同じに滑りながら、円筒状シャフトＡに巻き取られてゆく。
防鳥ネットＢの端部Ｂ１は、巻き取られていった円筒状シャフトＡの下に来ると、端部Ｂ１に組み込まれている永久磁石Ｂ２が、円筒状シャフトＡの下の横板Ｄにカチッと吸い付いて防鳥ネットＢが固定される。
図５は保管具０Ａと防鳥ネットＢ及び生ゴミ袋との関係を横から見たものである。
【発明の効果】
【０００６】    以下本発明の実施効果について説明する。
１、生ゴミ搬出者、主に主婦は安心して生ゴミ袋Ｋを、指定のゴミステーションに持って行き、防鳥ネットＢを引っ張り出して任意の長さで使う事が出来る。
２、生ゴミ回収集車の担当者は、手間かけて防鳥ネットＢを取り除くことが、不要で、ハンドルＨを軽く回すだけで、防鳥ネットＢが除去されるので従来の３分の１の労力で済む。
３、生ゴミ回収集車が去ったあとは、元の姿になり、防鳥ネットＢはきちんと収納されていて、見栄えがいい。
４、カラス鳥や、小動物による食害は皆無で掃除が楽で主婦等に喜ばれる。
５、強風等による防鳥ネットＢの紛失も無くなり、経済的損失が無い。
【図面の簡単な説明】
【０００７】
【図１】保管具の見取図
【図２】従来の防鳥ネットの使用例
【図３】保管具の実施の形態
【図４】保管具の実施の形態
【図５】保管具の実施の形態側面見取図
【符号の説明】
０Ａ  ：  保管具                  Ｈ  ：  ハンドル
Ａ  ：  円筒状シャフト  Ｋ、Ｋ１、Ｋ２、Ｋ３、Ｋ４  ：  ゴミ袋
Ｂ  ：  防鳥ネット
Ｂ１  ：  防鳥ネットの端部
Ｂ２  ：  永久磁石
Ｃ  ：  柱
Ｃ１  ：  柱
Ｄ  ：  横板
Ｅ  ：  片端
Ｅ１  ：  反対側端
Ｆ  ：  基礎板
【図１】
2006075148.tif 000003
【図２】
2006075148.tif 000004
【図３】
2006075148.tif 000005
【図４】
2006075148.tif 000006
【図５】
2006075148.tif 000007
(57)【要約】【課題】生け花をする際、木、枝など、固い物を簡単に生けられ、自由自在に角度調整出来る道具を提供する。【解決手段】伸縮できる硬質で筒状のパイプを使用した事を特徴とする。【選択図】  図１
2006075141.tif 000002
【特許請求の範囲】
【請求項１】
鉛などで作った物を土台にし、伸縮できる硬質で筒状のパイプの一部を土台の厚さ分埋め込み、残りの部分を外に出し、そのパイプの下の側面に２〜６個位の穴ををあけ木、枝など生け木、枝など生ける際に使用する道具。
【発明の詳細な説明】
【発明の詳細な説明】
【技術分野】
【００１】この発明は、木、枝など固い物を生ける際、伸縮できる硬質で筒状のパイプに簡単にさしこみ、自由に角度ができ、その角度が長時間一定に保てる。
【背景技術】
【００２】従来、花、木、枝など生ける際、するどい針を埋め込んだ剣山を使用してきたが、花など柔らかい茎などは簡単にさしこむ事ができるが、木、枝など固くてなかなかささらず、さしても長時間同じ状態で保てなかった。
【発明が解決しようとする課題】
【００３】これは次の様な欠点があった。
生け花をする際、水盤の上で沢山ある鋭い針の剣山で行なっており、固い木、枝などを差し込む際、すべってケガする事もあり、危険である。
本発明は、こうした使用者の強い要望に応える為に、発明されたものである。
【課題を解決するための手段】
【００４】土台は錆ない金属製の物で生ける際、沢山あるするどい針に固い木、枝などをさすのではなく、伸縮性できる硬質で筒状のパイプに入れるだけ。又、伸縮が自由自在なので、角度の調節が出来る。
パイプ側面の下の部分に２〜６個位の穴をあけ、差し入れた木、枝に水が吸収される。
【発明を実施するための最良の形態】
【００５】以下、発明の実施の形態を説明する。
（１）土台は錆びない鉛など金属性の物を使用する。
（２）伸縮できる硬質で筒状のパイプを使い、木、枝の太さに応じた口径のパイプを使用する。また、パイプの数も必要に応じて数を増やす。
（３）外にでている部分の、パイプの下の側面に２〜６個の位の穴をあける。
【発明の効果】
【００６】本発明の道具を使用することによって、木、枝などを簡単に生けられ、角度調整も自由自在にでき、長時間生けたものが、一定に保たれる。
【図面の簡単な説明】
【図１】断面図
【図２】正面図
【図３】底面図
【符号の説明】
（１）は、土台
（２）は、伸縮できる硬質で筒状のパイプ
（３）は、穴
【図１】
2006075141.tif 000003
【図２】
2006075141.tif 000004
【図３】
2006075141.tif 000005
(57)【要約】【課題】クワガタ幼虫等を取り出す作業を楽にし、クワガタ幼虫等を安全に取り出せる工夫。【解決手段】クワガタ幼虫等を飼育する菌糸ビンに分離部分を設けて、分離部分よりビンを分離させることにより、安全かつ楽に幼虫を取り出すことができる。【選択図】図３
2006075143.tif 000002
【特許請求の範囲】
【請求項１】
容器本体が分離することを特徴とする菌糸ビン。
【発明の詳細な説明】
【技術分野】
【０００１】この発明はクワガタ幼虫等飼育に用いる菌糸ビンの形状に関する。
【背景技術】
【０００２】従来のクワガタ幼虫等飼育に用いる菌糸ビンの形状は、図２に示すように、分離部分は存在しない。
【発明の開示】
【発明が解決しようとする課題】
【０００３】しかしながら、従来の菌糸ビンでは、クワガタ幼虫等を取り出しにくい。
菌糸を掘り出す際にスプーン等で幼虫等を傷つける事故の発生等の問題がある。
そこでこの発明は、幼虫等の取り出しが楽になり事故発生を軽減する菌糸ビンを提供することを課題とする。
【課題を解決するための手段】
【０００４】以上の課題を解決するために、この発明はビンに分離部分を設けたことを特徴とするビンである。
【発明の効果】
【０００５】この発明によれば、ビンに分離部を設けたので、幼虫等の取り出しが楽になり幼虫等を傷つける等の事故を軽減できる。
【発明を実施するための最良の形態】
【０００６】この発明の一実施形態を、図１に示す菌糸ビンの▲２▼の箇所に分離部分を設ける。
【図面の簡単な説明】
【０００７】
【図１】この発明の一実施形態を示す斜視図である。
【図２】従来技術を示す斜視図である。
【図３】この発明の二実施形態を示す斜視図である。（分離部分を利用した幼虫取り出し作業時の図）
【符号の説明】
【０００８】▲１▼菌糸ビン本体
▲２▼分離部分
▲３▼従来本体
▲４▼菌糸
【図１】
2006075143.tif 000003
【図２】
2006075143.tif 000004
【図３】
2006075143.tif 000005
(57)【要約】【課題】    普通に育てるよりもより早く成長させ甘くさせること。同じ原理ですっぱい果実を甘くする。【解決手段】おのおのの植物に適し高周波および弱電流を見つけること。【特許請求の範囲】
【請求項１】
高周波を当てて育てた果実は甘くて、成長が早い。
【請求項２】
果実に弱い電流を流せば甘くなる。
【発明の詳細な説明】
【技術分野】
【０００１】高周波果実を甘くし、成長を早くする。同じ原理ですっぱい果実に弱電流を流すと果実は甘くなる。
【背景技術】
【０００２】モーツアルトの音楽を聞かせて育てた植物は成長が早くて甘い。モーツアルトの音楽は高周波が多い。【０００３】磁気バンソウコウで果実は甘くなる。【０００４】甘くなる理由
一般に多くの果実はどちらかというと水溶液であるから電流が流れる性質を持っている。植物に電波を与えると磁場ができる。そうすると植物内に電流が流れ、プラス極とマイナス極が出来る。
【化学１】
Ｈ２Ｏ→２Ｈ＋＋ＯＨ−
となってマイナス極が弱酸性になる。植物の中で光合成により作られたブドウ糖はショ糖となって運搬される。希酸水溶液中ではショ糖は加水分解して果糖とグルコースになる。果糖は糖の中で１番甘い糖である。即ち、植物に高周波を与えると光合成により出来たブドウ糖が果実になるのを促進する。
【０００５】成長が促進される理由
相対性原理によれば、光の速度の早い時は時間が長く、光の速度が遅い時は時間が短い。仮に、光に近い速度で宇宙旅行して地球に帰れば宇宙から帰ったものは若く、地球上の者は年をとっている。その理論からいえば遅い速度の光を与えたら光合成を促進する。
【発明の開示】
【発明が解決しようとする課題】
【０００６】高周波を当てて育てた果実は甘くて成長が早い。同じ原理ですっぱい果実を甘くする。
【課題を解決するための手段】
【０００７】おのおのの植物に最も光合成が促進する高周波を見つけること。【０００８】以上に述べたように果実を甘くするには果実が焦げることなく甘くなる弱電流を見つけること。
(57)【要約】【課題】  従来のルアーの本体の基体にはなかったガラスを使用し、その特有の光の反射を利用することにより、ルアーフィッシングにおいてもっとも大切である、魚にアピールすることができるルアーを制作し、利用者に提供する。【解決手段】ルアー本体１にガラスを使用し、その光の反射を利用することによりこれまでより魚にアピールすることができるルアーを制作することができるようになった。また、ガラスに着色したり、成形時に歪みを加えられたガラスを使用することにより光の反射を変えることにより、より魚にアピールするようにした。【選択図】図１
2006075147.tif 000002
【特許請求の範囲】
【請求項１】
本体の基体がガラス製のルアー。
【請求項２】
ガラスに着色したり、成形時に歪みを加えられたガラスを使用することにより光の反射をより複雑にした請求項１のルアー。
【発明の詳細な説明】
【発明の詳細な説明】
【技術分野】
【００１】本発明は、本体の基体がガラス製で、その特有の光の反射を利用して魚を釣るルアーである。
【背景技術】
【００２】従来は、本体の基体に鉛やプラスチックを使用したり、他の物質にガラスを混ぜ合わせたものを使用したり、または他の物質にガラスを覆うように配置したルアーはあったが、本体の基体がガラス製であり、その特有の光の反射を利用して魚を釣るルアーはなかった。【００３】
【特許文献１】特開２００１−２５８４２７
【特許文献２】特開２０００−２９５９４０
【発明が解決しようとする課題】
【００４】本発明は、従来のルアーの本体の基体にはなかったガラスを使用し、その特有の光の反射を利用することにより、ルアーフィッシングにおいてもっとも大切である、魚にアピールすることができるルアーを制作し、利用者に提供することを目的とするものである。
【課題を解決するための手段】
【００５】ルアーの本体部分１にガラスを使用し、その特有の光の反射を利用することによりこれまでより魚にアピールすることができるルアーを制作することができるようになった。また、ガラスに着色したり、成形時に歪みを加えられたガラスを使用することにより光の反射をより複雑にしたりすることにより更に魚にアピールするようにした。
【発明を実施するための最良の形態】
【００６】以下、本発明の実施の形態について説明する。
（イ）．ルアー本体１にガラスを使用する。
（ロ）．前方部分２に釣り糸を結びつけるリングを付けられる穴を開ける。
（ハ）．後方部分３に釣り針を付けられる穴を開ける。
【発明の効果】
【００７】ルアーの本体部分１にガラスを使用し、その特有の光の反射を利用し、釣果をあげる。
【図面の簡単な説明】
【図１】本発明の斜めから見た図である。
【符号の説明】
１  ルアー本体
２  前方部分
３  後方部分
【図１】
2006075147.tif 000003
(57)【要約】【課題】  風による飛散がしにくく、雨による流出を抑えることができて、従来よりも長い時間ラインを表示することができるライン引き用粉を提供する。【解決手段】  ホタテ貝殻を粉砕して粉末状に形成したライン引き用粉である。また、ホタテ貝殻を粉砕した粉末の粒径は、０．２ｍｍ以下であることが望ましい。【選択図】      図３
2006075491.tif 000002
【特許請求の範囲】
【請求項１】
ホタテ貝殻を粉砕して粉末状に形成したことを特徴とするライン引き用粉。
【請求項２】
ホタテ貝殻を粉砕した粉末の粒径は、０．２ｍｍ以下であることを特徴とする請求項１に記載のライン引き用粉。
【発明の詳細な説明】
【技術分野】
【０００１】
本発明は、グラウンド等に競技用の白線又は文字を表示するために用いられる、ライン引き用粉に関するものである。
【背景技術】
【０００２】
従来のライン引き用粉は、酸性土壌の中和剤として用いられる消石灰を使用しているが、消石灰はｐＨ値が１２〜１３の強アルカリ性であるために、皮膚に付着したり目や鼻の粘膜に付くと炎症を起こすおそれがある。また、消石灰が芝生等の植物にかかると成育に悪影響を与えるおそれがある。更には、消石灰は比重が軽いために、風に舞いやすく、雨に流れやすいという欠点がある。
【０００３】
そこで近年は、消石灰よりもｐＨ値が低く、また比重が重い、石灰石を粉砕した炭酸カルシウム粉を、ライン引き用粉として使用している。
【０００４】
なお、その他のライン引き用粉としては、特開２００１−１９５３１号公報に開示された、ライン引き用パウダーが従来例として知られている（特許文献１参照）。
【特許文献１】特開２００１−１９５３１号
【発明の開示】
【発明が解決しようとする課題】
【０００５】
石灰石を粉砕したライン引き用粉は、消石灰よりも比重が重いものの、粉の形状が粒形状又は板形状であるために転がり抵抗値が低く、風による飛散防止及び雨による流出防止の効果が充分に発揮できないという欠点がある。
【０００６】
また、石灰石は、山などから採掘されているので、将来的には資源枯渇の問題が生じるおそれが指摘されている。
【０００７】
従って、従来のライン引き用粉においては、風による飛散防止及び雨による流出防止の効果を向上させることと、資源枯渇の問題を解消することとに解決しなければならない課題を有している。
【課題を解決するための手段】
【０００８】
前記従来例の課題を解決する具体的手段として本発明は、ホタテ貝殻を粉砕して粉末状に形成したことを特徴とするライン引き用粉を提供するものである。
【０００９】
また、前記ホタテ貝殻を粉砕した粉末の粒径は、０．２ｍｍ以下である構成としたものである。
【発明の効果】
【００１０】
本発明に係るライン引き用粉は、ホタテ貝殻を粉砕して粉末状に形成したことによって、粉砕されたホタテ貝殻の粉末は棒状体を多く含んでいるため、この棒状の粒子が絡み合う状態になり、且つ土の隙間に刺さり込む状態になるので、風による飛散がしにくく、雨による流出を抑えることができる。従って、従来よりも長い時間ラインを表示することができるという優れた効果を奏する。
また、ホタテ貝殻は、水産加工場等から廃棄物として排出されたものを利用すればよく、産業廃棄物の有効利用の観点から望ましい。従って、前述の鉱山資源の枯渇問題が解消できると共に、地球環境の保全を図ることができるという優れた効果を奏する。
【００１１】
また、ホタテ貝殻を粉砕した粉末の粒径は、０．２ｍｍ以下であることによって、ライン引き用機械の排出口からライン引き用粉をスムーズに排出することができるという優れた効果を奏する。
【発明を実施するための最良の形態】
【００１２】
ホタテ貝殻は、炭酸カルシウムを主成分としており、石灰石を粉砕した炭酸カルシウムと同様の成分である。そして、ホタテ貝殻は、食品添加物としても利用されており、所謂人体にやさしい性質を有する。
【００１３】
また、ホタテ貝は、大量に養殖されて消費されているが、その廃棄物であるホタテ貝殻の多くは埋立処分がなされており、その埋立処分地の確保が困難な状況になっているのが現状である。
【００１４】
ホタテ貝殻の炭酸カルシウムの結晶構造は、貝の成長に伴い一方向に成長するために方向性があり（図１参照）、粉砕すると成長方向に沿った縦横比を有する棒状の粒子を形成することとなる（図２参照）。
【００１５】
本願発明者は、鋭意研究を重ねた結果、縦横比の大きい粒子のホタテ貝殻粉砕物をライン引き用粉として使用すると、図３に示すように、棒状の粒子１１が絡み合う状態になると共に、土１２の隙間に刺さり込む状態になるので、風による飛散がしにくく、雨による流出を抑えることができるという新知見を得た。
【００１６】
ホタテ貝殻を粉砕した粉末は、次のような方法により得られる。まず、水産加工場等から廃棄物として排出されたホタテ貝殻を利用することが、産業廃棄物の有効利用の観点から望ましい。
【００１７】
ホタテ貝殻の粉砕は、例えば、ハンマーミル、ローラーミル、ジェットミル等の一般的な粉砕機を用いて、衝撃、圧縮、又は摩擦等の粉砕手段により行う。特に、ホタテ貝殻を粉砕することによる特徴的な、縦横比を有する棒状の粒子を適宜の大きさに調製するためには、剪断力の強い粉砕方法が望ましい。
【００１８】
また、ホタテ貝殻を粉砕した粉末の粒径は、０．２ｍｍ以下であることが望ましい。何故ならば、ライン引き用機械の排出口は、２ｍｍ程度の細いスリットで形成されることから、粒径が０．２ｍｍ以下のホタテ貝殻の粉末は、排出口からスムーズに排出されて良好なラインが描けるからである。
【図面の簡単な説明】
【００１９】
【図１】ホタテ貝殻の断面を示す電子顕微鏡写真である。
【図２】ホタテ貝殻粉砕物の電子顕微鏡写真である。
【図３】本発明に係るライン引き用粉を地面に引いた状態を略示的に示す説明図である。
【符号の説明】
【００２０】
１１  ホタテ貝殻粉砕物の棒状の粒子
１２  土
【図１】
2006075491.tif 000003
【図２】
2006075491.tif 000004
【図３】
2006075491.tif 000005
(57)【要約】【課題】健康増進を図る。【解決手段】放射性元素鉱物１を含有させた床材２の裏面３側に温度調節機能を備えた加熱器４を配設することによって、微弱で微量の放射線を床材２の上に鎮座又は横たわる人に照射し、細胞の働きを活発化して、新陳代謝を促進し、免疫力や自然治癒力を高める。又、放射線の電離作用で空中にマイナスイオンを発生させ、これを浴びさせたり、呼吸により体内に取り込ませて、自律神経を調整し、緊張感を解きほぐして、ストレスを緩和する。更に、放射性元素鉱物１を加熱することにより、遠赤外線を放出させ、かかる遠赤外線で体を芯からを暖め、発汗を促進させたり、血行不良の改善を図り、新陳代謝を更に活発化する。【選択図】図３
2006075320.tif 000002
【特許請求の範囲】
【請求項１】
放射性元素鉱物を含有させた床材の裏面側に温度調節機能を備えた加熱器を配設して成
したことを特徴とするサウナ装置。
【発明の詳細な説明】
【技術分野】
【０００１】
本発明は、ホルミシス効果より健康増進するサウナ装置に関する。
【背景技術】
【０００２】
従来、サウナは密閉可能な部屋の中に蒸気の発生装置を配設して成り、部屋中に蒸気を
充満させて、体を暖め、発汗を促すと共に、血行不良を改善し、新陳代謝を活発にして、
健康増進を図る様にしたものである。
【０００３】
研究開発段階や出願段階で先行技術調査を行っておらず、記載すべき先行技術文献を知
りません。
【発明の開示】
【発明が解決しようとする課題】
【０００４】
ところが、上記サウナは高温・高湿度により人の心肺にかかる負担が大きく、特に高齢
者や高血圧者の場合は、使用に際し十分な注意を必要とし、そのためサウナにより健康増
進を図るべき不健康弱者が気軽に利用できないという矛盾があった。
【課題を解決するための手段】
【０００５】
本発明は、上記従来技術に基づく、蒸気利用のサウナでは肝心な不健康弱者の健康増進
を図ることが出来ない課題に鑑み、放射性元素鉱物を含有させた床材の裏面側に温度調節
機能を備えた加熱器を配設することによって、微弱で微量の放射線を床材の上に鎮座又は
横たわる人に照射し、細胞の働きを活発化して、新陳代謝を促進し、免疫力や自然治癒力
を高める。
又、放射線の電離作用で空中にマイナスイオンを発生させ、これを浴びさせたり、呼吸
により体内に取り込ませて、自律神経を調整し、緊張感を解きほぐして、ストレスを緩和
する。
更に、放射性元素鉱物を加熱することにより、遠赤外線を放出させ、かかる遠赤外線で
体を芯から暖め、発汗を促進させたり、血行不良の改善を図り、新陳代謝を更に活発化す
る。
【発明の効果】
【０００６】
要するに本発明は、放射性元素鉱物を含有させた床材の裏面側に加熱器を配設して成し
たので、放射線による刺激で、体の各細胞の働きを活発化して、免疫力及び自然治癒力を
高めることが出来る。
又、微量放射線は空気中の酸素等をイオン化して、滝壺周辺や、森林中に多く存在する
といわれているマイナスイオンを発生するため、マイナスイオンで自律神経に働きかけ、
森林浴をしているかの様に、心地よい気分にさせることが出来る。
更に、遠赤外線で体を芯から暖め、毛細血管を拡張し、鬱血していた血行を改善して、
新陳代謝を促進させることが出来る。
従って、放射線及び遠赤外線の相乗効果で、健康増進を図ることが出来、而も身体に何
等過度の負担をかけないから、老人や病弱な者、或いは高血圧症の者であっても安心して
使用することが出来る等その実用的効果甚だ大である。
【発明を実施するための最良の形態】
【０００７】
以下本発明の一実施例を図面に基づいて説明する。
図１は本発明に係るサウナ装置の概略図、図２は図１のＡーＡ断面図、図３は図２のＢ
ーＢ部拡大図である。
図１〜３に示す様に、本発明のサウナ装置は、放射性元素鉱物１を含有させて床材２を
形成し、該床材２の裏面３側に加熱器４を配設している。
放射性元素鉱物１は、微弱で微量の放射線を放出するものであれば良く、例えば、シリ
カ及びアルミナを主成分とし、アルカリ金属、アルカリ土類金属の他、ストロンチウム（
Ｓｒ）、セリウム（Ｃｅ）、プラセオジウム（Ｐｒ）、ラジウム（Ｒａ）、トリウム（Ｔ
ｈ）等の放射性元素を含む天然鉱物で良く、具体的にはモナズ石（Ｍｏｎａｚｉｔｅ）が
挙げられ、モナズ石はトリウム（Ｔｈ）を含有し、壊変してトロン（Ｔｎ）となり、該ト
ロンも常時微量の放射線を放出する。
そして、微弱で微量の放射線は人体に悪影響を及ぼすことなく、むしろ健康増進させる
といわれている。
これが、所謂ホルミシス効果で、放射線によって、ほんの僅かに傷つけられると、細胞
は自己修復し、もし修復不可なら自滅して、重大事態が発生するのを回避しようとする機
能（アポトーシス）を人体が有し、この機能が活性化するからとされている。
床材２としては、例えば、セメントに放射性元素鉱物１を混合して形成したり、耐熱性
の高い合成樹脂に放射性元素鉱物１を混合して形成すれば良く、或いは、適宜窯業原料に
放射性元素鉱物１を配合し、成形した後、焼成して、セラミックスタイル形態の床材2aと
しても良い。
加熱器４は、温度調節機能を備えていれば良く、熱源としては、電熱線、温水循環等が
挙げられ、その方式は何ら限定されない。
【０００８】
この発明によれば、放射性元素鉱物１からの放射線が人体に対し直接作用する他、放射
線によって、マイナスイオンが発生し、更に放射性元素鉱物１が加熱器４に暖められて、
遠赤外線をも放出する。
【図面の簡単な説明】
【０００９】
【図１】本発明に係るサウナ装置の概略図である。
【図２】図１のＡーＡ断面図である。
【図３】図２のＢーＢ部拡大図である。
【符号の説明】
【００１０】
１  放射性元素鉱物
２  床材
３  裏面
４  加熱器
【図１】
2006075320.tif 000003
【図２】
2006075320.tif 000004
【図３】
2006075320.tif 000005